(57)【要約】【課題】  プレビュー画像上に表示された手書画像に近い画像を元画像に合成することができる画像形成装置および画像形成プログラムを提供する。【解決手段】  元画像の表示部によるプレビューのためのプレビュー画像を生成し、操作部に入力された操作に応じて手書画像をプレビュー画像上に重ねて表示部に表示させながら生成し、手書画像に基づいて合成用画像を生成し、元画像に合成用画像を合成して手書合成画像を生成するＭＦＰは、プレビュー画像および元画像のサイズの比率に応じて手書画像上の点の位置および大きさを変更することによって合成用画像を生成する（Ｓ１６３）ことを特徴とする。【選択図】  図７
2014239280.tif 000002
【特許請求の範囲】
【請求項１】
操作が入力される操作部と、
表示部と、
元画像のプレビュー画像を生成して前記表示部に表示するプレビュー画像生成手段と、
前記操作部に入力された操作に応じて手書画像を生成し、前記手書画像を前記プレビュー画像上に重ねて前記表示部に表示する手書画像生成手段と、
前記手書画像に基づいて合成用画像を生成する合成用画像生成手段と、
前記元画像に前記合成用画像を合成して手書合成画像を生成する手書合成画像生成手段と、
前記手書合成画像を出力する出力部とを備え、
前記合成用画像生成手段は、前記プレビュー画像および前記元画像のサイズの比率に応じて前記手書画像上の点の位置および大きさを変更することによって前記合成用画像を生成することを特徴とする画像形成装置。
【請求項２】
前記プレビュー画像と、前記手書画像とを互いに関連付けて管理する画像管理手段を備えることを特徴とする請求項１に記載の画像形成装置。
【請求項３】
画像形成装置によって実行される画像形成プログラムであって、
元画像のプレビュー画像を生成して表示部に表示するプレビュー画像生成手段、
操作部に入力された操作に応じて手書画像を生成し、前記手書画像を前記プレビュー画像上に重ねて前記表示部に表示する手書画像生成手段、
前記手書画像に基づいて合成用画像を生成する合成用画像生成手段、および、
前記元画像に前記合成用画像を合成して手書合成画像を生成し、前記手書合成画像を出力部に出力させる手書合成画像生成手段として前記画像形成装置を機能させ、
前記合成用画像生成手段は、前記プレビュー画像および前記元画像のサイズの比率に応じて前記手書画像上の点の位置および大きさを変更することによって前記合成用画像を生成することを特徴とする画像形成プログラム。
【発明の詳細な説明】
【技術分野】
【０００１】
本発明は、元画像に手書画像に応じた合成用画像を合成した手書合成画像を出力する画像形成装置および画像形成プログラムに関する。
【背景技術】
【０００２】
従来、元画像に手書画像に応じた合成用画像を合成した手書合成画像を出力する画像形成装置として、操作部に入力された操作に応じて手書の線図形である手書画像をプレビュー画像上に重ねて表示部に表示させながら生成し、手書画像に基づいて合成用画像を生成し、元画像に合成用画像を合成して手書合成画像を生成する画像形成装置が知られている（特許文献１参照。）。
【０００３】
特許文献１に記載された画像形成装置においては、プレビュー画像上における手書の線図形の開始点から終了点までの軌跡上の点の位置を、プレビュー画像および元画像のサイズの比率に応じて変更し、位置が変更された各点を線分で繋いだ線図形を合成用画像として生成する。
【先行技術文献】
【特許文献】
【０００４】
【特許文献１】特開２０１０−２００２２５号公報
【発明の概要】
【発明が解決しようとする課題】
【０００５】
しかしながら、特許文献１に記載された画像形成装置においては、プレビュー画像上における手書の線図形の開始点から終了点までの軌跡上の点の位置を、プレビュー画像および元画像のサイズの比率に応じて変更し、位置が変更された各点を線分で繋いだ線図形を合成用画像として生成するので、プレビュー画像が元画像より縮小されている場合には、プレビュー画像における手書の線図形の軌跡上の点がプレビュー画像において曲線状に連続して並んでいたとしても、合成用画像が生成される場合にプレビュー画像に対する元画像の拡大率に合わせて各点の位置が変更されて不連続な点の集まりになり、結果として、それらの点を線分で繋いだ線図形である合成用画像の形状が、プレビュー画像上に表された手書画像の形状と相違してしまう可能性がある。すなわち、特許文献１に記載された画像形成装置においては、実際に元画像に合成される合成用画像の形状が、プレビュー画像上に表示された手書画像の形状と相違してしまう可能性があるという問題がある。
【０００６】
そこで、本発明は、プレビュー画像上に表示された手書画像に近い画像を元画像に合成することができる画像形成装置および画像形成プログラムを提供することを目的とする。
【課題を解決するための手段】
【０００７】
本発明の画像形成装置は、操作が入力される操作部と、表示部と、元画像のプレビュー画像を生成して前記表示部に表示するプレビュー画像生成手段と、前記操作部に入力された操作に応じて手書画像を生成し、前記手書画像を前記プレビュー画像上に重ねて前記表示部に表示する手書画像生成手段と、前記手書画像に基づいて合成用画像を生成する合成用画像生成手段と、前記元画像に前記合成用画像を合成して手書合成画像を生成する手書合成画像生成手段と、前記手書合成画像を出力する出力部とを備え、前記合成用画像生成手段は、前記プレビュー画像および前記元画像のサイズの比率に応じて前記手書画像上の点の位置および大きさを変更することによって前記合成用画像を生成することを特徴とする。
【０００８】
この構成により、本発明の画像形成装置は、プレビュー画像および元画像のサイズの比率に応じて手書画像上の点の位置および大きさを変更することによって生成した合成用画像を元画像に合成して手書合成画像を生成するので、プレビュー画像上に表示された手書画像に近い画像を元画像に合成することができる。
【０００９】
また、本発明の画像形成装置は、前記プレビュー画像と、前記手書画像とを互いに関連付けて管理する画像管理手段を備えても良い。
【００１０】
この構成により、本発明の画像形成装置は、プレビュー画像と、手書画像とを互いに関連付けて管理するので、プレビュー画像を再表示する場合に、このプレビュー画像に対する手書画像も、このプレビュー画像上に再表示することができる。
【００１１】
本発明の画像形成プログラムは、画像形成装置によって実行される画像形成プログラムであって、元画像のプレビュー画像を生成して表示部に表示するプレビュー画像生成手段、操作部に入力された操作に応じて手書画像を生成し、前記手書画像を前記プレビュー画像上に重ねて前記表示部に表示する手書画像生成手段、前記手書画像に基づいて合成用画像を生成する合成用画像生成手段、および、前記元画像に前記合成用画像を合成して手書合成画像を生成し、前記手書合成画像を出力部に出力させる手書合成画像生成手段として前記画像形成装置を機能させ、前記合成用画像生成手段は、前記プレビュー画像および前記元画像のサイズの比率に応じて前記手書画像上の点の位置および大きさを変更することによって前記合成用画像を生成することを特徴とする。
【００１２】
この構成により、本発明の画像形成プログラムは、プレビュー画像および元画像のサイズの比率に応じて手書画像上の点の位置および大きさを変更することによって生成した合成用画像を元画像に合成して手書合成画像を生成するので、プレビュー画像上に表示された手書画像に近い画像を元画像に合成することができる。
【発明の効果】
【００１３】
本発明の画像形成装置および画像形成プログラムは、プレビュー画像上に表示された手書画像に近い画像を元画像に合成することができる。
【図面の簡単な説明】
【００１４】
【図１】本発明の一実施の形態に係るＭＦＰのブロック図である。
【図２】手書画像に応じた合成用画像を元画像に合成するコピーを実行する場合の図１に示すＭＦＰの動作のフローチャートである。
【図３】図１に示すスキャナーによって原稿から読み取られた元画像の一例を示す図である。
【図４】プレビュー画像を表示している状態での図１に示す表示部の正面図の一例を示す図である。
【図５】図２に示す動作における手書画像生成処理のフローチャートである。
【図６】プレビュー画像および手書画像を表示している状態での図１に示す表示部の正面図の一例を示す図である。
【図７】図２に示す動作における合成用画像生成処理のフローチャートである。
【図８】図７に示す合成用画像生成処理の仕組みを説明する図である。
【図９】図７に示す合成用画像生成処理によって生成される合成用画像の一例を示す図である。
【図１０】図２に示す動作における手書合成画像生成処理のフローチャートである。
【図１１】元画像と、合成用画像とが図１に示すプリンターによって印刷された記録媒体の一例を示す図である。
【発明を実施するための形態】
【００１５】
以下、本発明の一実施の形態について、図面を用いて説明する。
【００１６】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００１７】
図１は、本実施の形態に係るＭＦＰ１０のブロック図である。
【００１８】
図１に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部１７と、ＭＦＰ１０全体を制御する制御部１８とを備えている。
【００１９】
ＭＦＰ１０は、操作部１１に入力された操作に応じて生成される手書画像に応じた合成用画像を生成し、この合成用画像を元画像に合成した手書合成画像をプリンター１４、ファックス通信部１５またはネットワーク通信部１６によって出力する画像形成装置である。
【００２０】
操作部１１は、表示部１２とともにタッチパネルを形成する入力デバイスを含んでいても良い。
【００２１】
プリンター１４は、画像を記録媒体への印刷という態様で出力する。すなわち、プリンター１４は、画像を出力する出力部を構成している。
【００２２】
ファックス通信部１５は、画像をＭＦＰ１０の外部へのファックス送信という態様で出力する。すなわち、ファックス通信部１５は、画像を出力する出力部を構成している。
【００２３】
ネットワーク通信部１６は、画像をＭＦＰ１０の外部へのネットワーク経由での送信という態様で出力する。すなわち、ネットワーク通信部１６は、画像を出力する出力部を構成している。
【００２４】
記憶部１７は、画像を形成するための画像形成プログラム１７ａを記憶している。画像形成プログラム１７ａは、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリー、ＳＤカードなどの記憶媒体からＭＦＰ１０に追加でインストールされても良いし、ネットワーク上からＭＦＰ１０に追加でインストールされても良い。
【００２５】
記憶部１７は、元画像を示す元画像データ１７ｂと、元画像の表示部１２によるプレビューのためのプレビュー画像を示すプレビュー画像データ１７ｃと、合成用画像の生成のための合成用画像生成用データ１７ｄとを記憶することが可能である。なお、元画像データ１７ｂ、プレビュー画像データ１７ｃおよび合成用画像生成用データ１７ｄは、同一の元画像に関するデータ同士が同一のＩＤを付与されるなどして、互いに関連付けられている。
【００２６】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行することができる。
【００２７】
制御部１８は、記憶部１７に記憶されている画像形成プログラム１７ａを実行することによって、プレビュー画像を生成して表示部１２に表示するプレビュー画像生成手段１８ａ、操作部１１に入力された操作に応じて手書画像をプレビュー画像上に重ねて表示部１２に表示させながら生成する手書画像生成手段１８ｂ、手書画像に基づいて合成用画像を生成する合成用画像生成手段１８ｃ、および、元画像に合成用画像を合成して手書合成画像を生成する手書合成画像生成手段１８ｄとして機能する。また、制御部１８は、記憶部１７に記憶されている画像形成プログラム１７ａを実行することによって、プレビュー画像と、手書画像とを互いに関連付けて管理する画像管理手段１８ｅとして機能する。
【００２８】
次に、ＭＦＰ１０の動作について説明する。
【００２９】
ＭＦＰ１０の制御部１８は、手書画像に応じた合成用画像を元画像に合成するコピーの指示が操作部１１を介して入力されると、図２に示す動作を実行する。
【００３０】
図２は、手書画像に応じた合成用画像を元画像に合成するコピーを実行する場合のＭＦＰ１０の動作のフローチャートである。
【００３１】
図２に示すように、制御部１８は、スキャナー１３に原稿から画像を読み取らせることによって、スキャナー１３によって原稿から読み取られた画像を元画像として入力する（Ｓ１０１）。ここで、画像管理手段１８ｅは、Ｓ１０１において入力された元画像を示す元画像データ１７ｂを記憶部１７に書き込む。
【００３２】
図３は、スキャナー１３によって原稿から読み取られた元画像７１の一例を示す図である。
【００３３】
記憶部１７には、Ｓ１０１の処理によって、例えば図３に示す元画像７１を示す元画像データ１７ｂが記憶される。
【００３４】
図２に示すように、制御部１８のプレビュー画像生成手段１８ａは、Ｓ１０１の処理の後、Ｓ１０１において入力された元画像のサイズを拡大または縮小することによってプレビュー画像を生成する（Ｓ１０２）。ここで、画像管理手段１８ｅは、Ｓ１０２において生成されたプレビュー画像を示すプレビュー画像データ１７ｃを、Ｓ１０１において入力された元画像を示す元画像データ１７ｂに関連付けて記憶部１７に書き込む。
【００３５】
プレビュー画像生成手段１８ａは、Ｓ１０２の処理の後、Ｓ１０２において生成されたプレビュー画像を表示部１２に表示する（Ｓ１０３）。
【００３６】
図４は、プレビュー画像を表示している状態での表示部１２の正面図の一例を示す図である。
【００３７】
Ｓ１０１において図３に示す元画像７１が入力された場合、表示部１２には、Ｓ１０３の処理によって、例えば図４に示すプレビュー画像７２が表示される。
【００３８】
図２に示すように、制御部１８の手書画像生成手段１８ｂは、Ｓ１０３の処理の後、図５に示す手書画像生成処理を実行する（Ｓ１０４）。
【００３９】
図５は、図２に示す動作における手書画像生成処理のフローチャートである。
【００４０】
図５に示すように、手書画像生成手段１８ｂは、表示部１２に表示されているプレビュー画像に対して、操作部１１を介して手書位置が入力されたか否かを判断する（Ｓ１３１）。なお、この手書位置は、プレビュー画像における座標によって表される。
【００４１】
手書画像生成手段１８ｂは、手書位置が入力されたとＳ１３１において判断すると、図５に示す手書画像生成処理を開始してからの手書位置の全軌跡を手書画像として生成し（Ｓ１３２）、生成した手書画像をプレビュー画像上に重ねて表示部１２に表示する（Ｓ１３３）。
【００４２】
図６は、プレビュー画像７２および手書画像７３を表示している状態での表示部１２の正面図の一例を示す図である。
【００４３】
Ｓ１０３の処理によって表示部１２に図４に示すプレビュー画像７２が表示されている場合、表示部１２には、Ｓ１３３の処理によって、例えば図６に示す手書画像７３が表示される。なお、図６において、手９０は、操作部１１を介して手書画像７３を入力している利用者の手である。また、図６に示す例では、手書画像７３は、プレビュー画像７２に含まれるトマトの画像を説明するために、このトマトの画像を指すための矢印の図形と、「トマト」という文字とが手書で追加された画像である。このように、利用者は、表示部１２にプレビュー画像７２が表示された状態で、プレビュー画像７２において表されている画像の全体または部分に関する説明やメモなどの情報を手書することができる。
【００４４】
図５に示すように、手書画像生成手段１８ｂは、手書位置が入力されていないとＳ１３１において判断するか、Ｓ１３３の処理を終了すると、手書の終了の操作が操作部１１に入力されたか否かを判断する（Ｓ１３４）。
【００４５】
手書画像生成手段１８ｂは、手書の終了の操作が操作部１１に入力されていないとＳ１３４において判断すると、Ｓ１３１の処理を実行する。
【００４６】
手書画像生成手段１８ｂは、手書の終了の操作が操作部１１に入力されたとＳ１３４において判断すると、Ｓ１０１において入力された元画像のサイズと、Ｓ１０２において生成されたプレビュー画像のサイズとに基づいて、元画像と、プレビュー画像とのサイズの比率を取得する（Ｓ１３５）。
【００４７】
次いで、手書画像生成手段１８ｂは、Ｓ１３２において生成された手書画像と、Ｓ１３５において取得した比率とを組み合わせて合成用画像生成用データ１７ｄとして生成する（Ｓ１３６）。ここで、画像管理手段１８ｅは、Ｓ１３６において生成された合成用画像生成用データ１７ｄを、Ｓ１０１において入力された元画像を示す元画像データ１７ｂと、Ｓ１０２において生成されたプレビュー画像を示すプレビュー画像データ１７ｃとに関連付けて記憶部１７に書き込む。
【００４８】
手書画像生成手段１８ｂは、Ｓ１３６の処理の後、図５に示す手書画像生成処理を終了する。
【００４９】
図２に示すように、制御部１８の合成用画像生成手段１８ｃは、Ｓ１０４における手書画像生成処理の後、図７に示す合成用画像生成処理を実行する（Ｓ１０５）。
【００５０】
図７は、図２に示す動作における合成用画像生成処理のフローチャートである。
【００５１】
図７に示すように、合成用画像生成手段１８ｃは、Ｓ１３６において生成された合成用画像生成用データ１７ｄに含まれる手書画像を取得する（Ｓ１６１）。
【００５２】
次いで、合成用画像生成手段１８ｃは、Ｓ１３６において生成された合成用画像生成用データ１７ｄに含まれる、元画像と、プレビュー画像とのサイズの比率を取得する（Ｓ１６２）。
【００５３】
次いで、合成用画像生成手段１８ｃは、Ｓ１６２において取得されたサイズの比率に応じてＳ１６１において取得した手書画像上の点の位置および大きさを変更することによって、合成用画像を生成する（Ｓ１６３）。例えば、元画像に対してプレビュー画像が１／３に縮小されている場合、合成用画像生成手段１８ｃは、手書画像上の点の位置および大きさを３倍に拡大する。
【００５４】
図８は、図７に示す合成用画像生成処理の仕組みを説明する図である。
【００５５】
例えば、元画像が縦８画素、横８画素の画像であり、プレビュー画像が縦４画素、横４画素の画像である場合、元画像と、プレビュー画像とのサイズの比率は、１／２である。この場合に、図８に示すように手書画像７８がプレビュー画像における下から３つ目および左から３つ目の１画素のみで構成されているとき、合成用画像生成手段１８ｃは、手書画像７８上の点の位置および大きさを、元画像と、プレビュー画像とのサイズの比率である１／２の逆数である２倍に変更することによって、下から６つ目および左から６つ目の画素と、下から６つ目および左から７つ目の画素と、下から７つ目および左から６つ目の画素と、下から７つ目および左から７つ目の画素との４画素で構成される合成用画像７９を生成する。
【００５６】
図９は、図７に示す合成用画像生成処理によって生成される合成用画像７４の一例を示す図である。
【００５７】
Ｓ１０４における手書画像生成処理によって図６に示す手書画像７３が生成されている場合、図７に示す合成用画像生成処理によって、例えば図９に示す合成用画像７４が生成される。
【００５８】
図７に示すように、合成用画像生成手段１８ｃは、Ｓ１６３の処理の後、図７に示す合成用画像生成処理を終了する。
【００５９】
図２に示すように、制御部１８の手書合成画像生成手段１８ｄは、Ｓ１０５における合成用画像生成処理の後、図１０に示す手書合成画像生成処理を実行する（Ｓ１０６）。
【００６０】
図１０は、図２に示す動作における手書合成画像生成処理のフローチャートである。
【００６１】
図１０に示すように、手書合成画像生成手段１８ｄは、Ｓ１０１において入力された元画像を取得する（Ｓ１９１）。
【００６２】
次いで、手書合成画像生成手段１８ｄは、Ｓ１０５において生成された合成用画像を取得する（Ｓ１９２）。
【００６３】
次いで、手書合成画像生成手段１８ｄは、Ｓ１９１において取得した元画像に、Ｓ１９２において取得した合成用画像を合成することによって手書合成画像を生成して（Ｓ１９３）、図１０に示す手書合成画像生成処理を終了する。
【００６４】
図２に示すように、手書合成画像生成手段１８ｄは、Ｓ１０６における手書合成画像生成処理の後、Ｓ１０６において生成された手書合成画像を、プリンター１４を用いて記録媒体に印刷して（Ｓ１０７）、図２に示す動作を終了する。Ｓ１０７の処理によって手書合成画像が出力部に出力される。
【００６５】
図１１は、元画像７１と、合成用画像７４とがプリンター１４によって印刷された記録媒体８０の一例を示す図である。
【００６６】
Ｓ１０３の処理によって表示部１２に図４に示すプレビュー画像７２が表示されている場合に、Ｓ１０４の処理によって図６に示す手書画像７３が生成されたとき、Ｓ１０７の処理によって例えば図１１に示すような記録媒体８０が出力される。
【００６７】
以上に説明したように、ＭＦＰ１０は、プレビュー画像および元画像のサイズの比率に応じて手書画像上の点の位置および大きさを変更することによって生成した合成用画像（Ｓ１６３）を元画像に合成して手書合成画像を生成する（Ｓ１９３）ので、プレビュー画像上に表示された手書画像に近い画像を元画像に合成することができる。
【００６８】
ＭＦＰ１０は、プレビュー画像を示すプレビュー画像データ１７ｃと、手書画像を含む合成用画像生成用データ１７ｄとを互いに関連付けて管理する、すなわち、プレビュー画像と、手書画像とを互いに関連付けて管理するので、プレビュー画像を再表示する場合に、このプレビュー画像に対する手書画像も、このプレビュー画像上に再表示することができる。
【００６９】
なお、画像管理手段１８ｅは、本実施の形態において、プレビュー画像データ１７ｃと、合成用画像生成用データ１７ｄとを別々のデータとして記憶部１７に記憶させることができるが、合成用画像生成用データ１７ｄを、この合成用画像生成用データ１７ｄと元画像が同一であるプレビュー画像データ１７ｃのメタデータとして記憶部１７に記憶させても良い。
【００７０】
手書画像生成手段１８ｂは、手書の際に色が指定されることによって、多色の手書画像を生成することができる。そして、手書画像生成手段１８ｂは、手書の際に指定された色を手書位置毎に合成用画像生成用データ１７ｄに含めることができる。手書の際に指定された色が手書位置毎に合成用画像生成用データ１７ｄに含められることによって、プレビュー画像上に表示された手書画像に色の観点でも近い画像を元画像に合成することができる。
【００７１】
なお、本実施の形態においては、元画像の入力方法として、スキャナー１３による原稿からの読み取りについて説明しているが、スキャナー１３による原稿からの読み取り以外の入力方法であっても良い。例えば、元画像の入力方法としては、ファックス通信部１５を介した画像のＦＡＸ受信、ネットワーク通信部１６を介した画像の受信などが考えられる。
【００７２】
また、本実施の形態においては、手書合成画像の出力方法として、プリンター１４による手書合成画像の印刷について説明しているが、プリンター１４による手書合成画像の印刷以外の出力方法であっても良い。例えば、手書合成画像の出力方法としては、ファックス通信部１５を介した手書合成画像のＦＡＸ送信、ネットワーク通信部１６を介した手書合成画像の送信などが考えられる。ネットワーク通信部１６を介した手書合成画像の送信の例としては、手書合成画像のファイルをＦＴＰ（Ｆｉｌｅ  Ｔｒａｎｓｆｅｒ  Ｐｒｏｔｏｃｏｌ）によってＭＦＰ１０の外部のサーバーに送信することが考えられる。
【００７３】
また、本発明の画像形成装置は、本実施の形態においてＭＦＰであるが、プリンター専用機、コピー専用機、ＦＡＸ専用機など、ＭＦＰ以外の画像形成装置であっても良い。
【符号の説明】
【００７４】
１０  ＭＦＰ（画像形成装置）
１１  操作部
１２  表示部
１４  プリンター（出力部）
１５  ファックス通信部（出力部）
１６  ネットワーク通信部（出力部）
１７ａ  画像形成プログラム
１８ａ  プレビュー画像生成手段
１８ｂ  手書画像生成手段
１８ｃ  合成用画像生成手段
１８ｄ  手書合成画像生成手段
１８ｅ  画像管理手段
７１  元画像
７２  プレビュー画像
７３  手書画像
７４  合成用画像
７８  手書画像
７９  合成用画像
【図１】
2014239280.tif 000003
【図２】
2014239280.tif 000004
【図３】
2014239280.tif 000005
【図４】
2014239280.tif 000006
【図５】
2014239280.tif 000007
【図６】
2014239280.tif 000008
【図７】
2014239280.tif 000009
【図８】
2014239280.tif 000010
【図９】
2014239280.tif 000011
【図１０】
2014239280.tif 000012
【図１１】
2014239280.tif 000013